(57)【要約】【課題】通信状態の良好な医療装置用のカプセルを提供することを課題とする。【解決手段】  医療装置用のカプセルは、人又は動物の管腔内を通過させて検査、治療、又は処置を行う医療装置用のカプセルであって、カプセル型の筐体と、前記筐体の外板の一部に巻回された状態、又は折り畳まれた状態で配設される線状のアンテナと、前記アンテナを巻回された状態、又は折り畳まれた状態に保持する保持部とを含み、前記アンテナは管腔内で前記保持部から解放される。【選択図】図１
2009240756.tif 000002
【特許請求の範囲】
【請求項１】
人又は動物の管腔内を通過させて検査、治療、又は処置を行う医療装置用のカプセルであって、
カプセル型の筐体と、
前記筐体の外板の一部に巻回された状態、又は折り畳まれた状態で配設される線状のアンテナと、
前記アンテナを巻回された状態、又は折り畳まれた状態に保持する保持部と
を含み、前記アンテナは管腔内で前記保持部から解放される、医療装置用のカプセル。
【請求項２】
前記アンテナの先端、又は長手方向における中間部分にアンカーが接続される、請求項１に記載の医療装置用のカプセル。
【請求項３】
前記線状のアンテナの一部は、巻回された状態で前記アンカーに密着される、請求項２に記載の医療装置用のカプセル。
【請求項４】
前記保持部は、管腔内で溶融可能なゼラチンで構成される、請求項１乃至３のいずれか一項に記載の医療装置用のカプセル。
【請求項５】
前記アンテナ部は、長手方向における一部が螺旋状に巻回された一又は複数のヘリカル部を含む、請求項１乃至４のいずれか一項に記載の医療装置用のカプセル。
【請求項６】
前記アンテナ部は、周波数帯域の異なる複数のアンテナを含む、請求項１乃至４のいずれか一項に記載の医療装置用のカプセル。
【請求項７】
前記アンテナ部は、形状記憶合金で構成される、請求項１乃至４のいずれか一項に記載の医療装置用のカプセル。
【請求項８】
人又は動物の管腔内を通過させて検査、治療、又は処置を行う医療装置用のカプセルであって、
カプセル型の筐体と、
前記筐体の表面に配設される金属薄膜製のアンテナ部と、
前記筐体の表面に配設される金属薄膜製のグランド部と
を含む、医療装置用のカプセル。
【請求項９】
前記筐体は、接合状態においてカプセル型をなす一対の筐体片を含み、
前記アンテナ部は、前記一対の筐体片のうちの一方の筐体片の表面に配設され、前記グランド部は、前記一対の筐体片のうちの他方の筐体片の表面に配設される、請求項８に記載の医療装置用のカプセル。
【請求項１０】
前記アンテナ部は、平面視ホームベース型、又はＴ字型である、請求項８又は９に記載の医療装置用のカプセル。
【発明の詳細な説明】
【技術分野】
【０００１】
本発明は、人又は動物の管腔内を通過させて検査、治療、又は処置を行う医療装置用のカプセルに関する。
【背景技術】
【０００２】
従来より、人等の管腔内を通過させて検査、治療、又は処置を行う医療装置用のカプセルが提案されている。このようなカプセルは、検査等に必要な電子装置（例えば、カメラや通信機等）を内蔵しており、口から飲み込み、胃や腸等の蠕動運動により消化器官を通り抜けて体外に放出される。
【０００３】
カプセルが体内にある間に、消化器官の画像の撮影や、画像データの送信等を行うため、カプセルの構造を設計するにあたっては、密閉性、飲み込みやすさ、進行しやすさ等を考慮して種々の改良がなされている（例えば、特許文献１参照）。
【特許文献１】特開２００３−１３５３８７号公報
【発明の開示】
【発明が解決しようとする課題】
【０００４】
ところで、従来の医療装置用のカプセルは、体外装置と無線通信するためのアンテナがカプセル内部に収納されていたため、良好な通信状態を得にくいという課題があった。
【０００５】
そこで、本発明は、通信状態の良好な医療装置用のカプセルを提供することを目的とする。
【課題を解決するための手段】
【０００６】
本発明の一局面の医療装置用のカプセルは、人又は動物の管腔内を通過させて検査、治療、又は処置を行う医療装置用のカプセルであって、カプセル型の筐体と、前記筐体の外板の一部に巻回された状態、又は折り畳まれた状態で配設される線状のアンテナと、前記アンテナを巻回された状態、又は折り畳まれた状態に保持する保持部とを含み、前記アンテナは管腔内で前記保持部から解放される。
【０００７】
また、前記アンテナの先端、又は長手方向における中間部分にアンカーが接続されてもよい。
【０００８】
また、前記線状のアンテナの一部は、巻回された状態で前記アンカーに密着されてもよい。
【０００９】
また、前記保持部は、管腔内で溶融可能なゼラチンで構成されてもよい。
【００１０】
また、前記アンテナ部は、長手方向における一部が螺旋状に巻回された一又は複数のヘリカル部を含んでもよい。
【００１１】
また、前記アンテナ部は、周波数帯域の異なる複数のアンテナを含んでもよい。
【００１２】
また、前記アンテナ部は、形状記憶合金で構成されてもよい。
【００１３】
本発明の他の局面の医療装置用のカプセルは、人又は動物の管腔内を通過させて検査、治療、又は処置を行う医療装置用のカプセルであって、接合状態においてカプセル型の筐体と、前記筐体の表面に配設される金属薄膜製のアンテナ部と、前記筐体の表面に配設される金属薄膜製のグランド部とを含む。
【００１４】
また、前記筐体は、接合状態においてカプセル型をなす一対の筐体片を含み、前記アンテナ部は、前記一対の筐体片のうちの一方の筐体片の表面に配設され、前記グランド部は、前記一対の筐体片のうちの他方の筐体片の表面に配設されてもよい。
【００１５】
前記アンテナ部は、平面視ホームベース型、又はＴ字型であってもよい。
【発明の効果】
【００１６】
本発明によれば、通信状態の良好な医療装置用のカプセルを提供できるという特有の効果が得られる。
【発明を実施するための最良の形態】
【００１７】
以下、本発明の医療装置用のカプセルを適用した実施の形態について説明する。
【００１８】
［実施の形態１］
図１は、実施の形態１の医療用のカプセルを示す斜視図である。
【００１９】
カプセル１０は、両端が半球状に丸みを帯びた円筒状の樹脂製のカプセルであり、その大きさは、長さ１０ｍｍ、直径６ｍｍである。カプセル１０を構成する樹脂材料としては、例えばＡＢＳ樹脂を用いることができる。
【００２０】
このカプセル１０は、一対のカプセル片１１及び１２を密封したものであり、カプセル片１１の端部１１ａには、外周面に沿ってアンテナ部１３が巻回されている。
【００２１】
図２は、実施の形態１の医療装置用のカプセルの断面構造を示す図である。
【００２２】
カプセル片１１は、アンテナ部１３を巻回するための凹部１１Ａを有する。
【００２３】
アンテナ部１３は、一端はカプセル片１１に設けられた孔部１１ｂに挿通され、カプセル１０の内部に設けられた送信機１４に接続されており、他端はカプセル片１１の端部１１ａの頂点に向かって巻回されている。このアンテナ部１３は、例えば、銅製である。
【００２４】
アンテナ部１３は、カプセル片１１の外周に巻回された状態で、ゲル化したゼラチン１５によって固定されている。すなわち、アンテナ部１３は、保持部としてのゼラチン１５によってカプセル片１１の外周に巻回された状態に保持されている。
【００２５】
このアンテナ部１３は、無線通信する周波数に合わせた長さを有する。例えば、無線通信周波数が４００ＭＨｚの場合は、アンテナ部１３の長さは約１９０ｍｍ、８００ＭＨｚの場合は約９４ｍｍ、約２．４ＧＨｚの場合は約３１ｍｍ、約５．８ＧＨｚの場合は１３ｍｍに設定する。
【００２６】
また、アンテナ部１３の太さは、例えば０．０５ｍｍが適当であるが、ＵＷＢ（Ultra Wide Band）である場合は、０．１ｍｍとより太くすることにより、広帯域通信に対応し易くしてもよい。
【００２７】
このアンテナ部１３は、カプセル１０内に配設される送信機１４から給電を受けるように構成されており、カプセル片１１の端部１１ａ側の内部に配設されるグランド部１６と協働して所望のデータを送信可能に構成されている。
【００２８】
送信機１４は、カプセル１０の内部に配設される撮像装置（図示せず）に接続され、撮像装置から入力される画像データを体外装置に送信するための処理を行えるように構成されていればよい。
【００２９】
ゼラチン１５は、人が飲み込むものであるため、食用のものであればよい。また、飲み込まれる前の状態において、アンテナ部１３を巻回状態に保持するのに十分であるとともに、飲み込まれた後は、アンテナ部１３を巻回状態から解放することが必要であるため、例えば、食道を通過する間に溶解するような成分及び量に調節する必要がある。
【００３０】
図３は、実施の形態１の医療装置用のカプセル１０のアンテナ部１３が体内で伸びる様子を示す図であり、（ａ）〜（ｃ）の順に時系列的に示す。
【００３１】
なお、図３では、ゼラチン１５が溶融する様子を説明するために、カプセル１０の内部の図示は省略する。
【００３２】
図３（ａ）は、人又は動物に飲み込まれる前のカプセル１０の状態を示しており、アンテナ部１３はゲル化したゼラチン１５によって巻回された状態に保持されている。
【００３３】
図３（ｂ）は、人又は動物に飲み込まれた直後のカプセル１０の状態を示しており、ゼラチン１５は溶解して殆どなくなり、巻回された状態のアンテナ部１３が開放される前の状態を表している。
【００３４】
図３（ｃ）は、ゼラチン１５が完全に溶解してなくなり、人又は動物の腸の内部でアンテナ部１３が伸びている状態を示す。カプセル１０は腸の蠕動運動によって図中右側に向かって進むため、アンテナ部１３は進行方向に対して後ろ側に伸びた状態になる。
【００３５】
なお、このようにアンテナ部１３が伸びるのは、腸内に限られず、胃の内部やその他の管腔内においても同様である。
【００３６】
また、カプセル１０が体外に放出されるときはアンテナ部１３も共に放出されるので、カプセル１０を利用する人や動物への負担は従来の医療装置用のカプセルと同程度である。
【００３７】
以上のように、実施の形態１の医療装置用のカプセル１０によれば、人や動物の管腔内でアンテナ部１３が伸びるため、カプセル１０の内部に配設される撮像装置等のノイズの影響を受けにくく、良好な通信状態を得ることができる。
【００３８】
なお、カプセル１０及びアンテナ部１３の寸法は上述の説明における値に限定されず、カプセルの大きさは、長さ５〜２０ｍｍ、直径５〜１０ｍｍの範囲であればよい。
【００３９】
同様に、アンテナ部１３については、長さ１３〜１９０ｍｍ、太さ０．０５〜０．１ｍｍであればよい。
【００４０】
また、以上では、アンテナ部１３が銅製である形態について説明したが、アンテナ部１３は、銅（Ｃｕ）、ニッケル−クロム（Ｎｉ−Ｃｒ）、及び、フェライト系のアモルファス合金を含む合金製であってもよい。このフェライト系のアモルファス合金としては、アモルファス・フェライト−シリコン−ボロン合金（ａ−Ｆｅ−Ｓｉ−Ｂ）を用いることができる。
【００４１】
このアモルファス・フェライト−シリコン−ボロン合金（ａ−Ｆｅ−Ｓｉ−Ｂ）は、形状を記憶する性質を有するため、アンテナ部１３を体温に近い３０℃で延伸された状態に戻るように形状記憶させておけばよい。
【００４２】
ニッケル−クロム（Ｎｉ−Ｃｒ）は、熱伝導率が高いため、体内の所定の位置に到達したと思われる状態において、アンテナ部１３に微小の電流を通流させれば、アモルファス・フェライト−シリコン−ボロン合金（ａ−Ｆｅ−Ｓｉ−Ｂ）を体内で確実に延伸させることができる。
【００４３】
なお、以上では、保持部としてのゼラチン１５を用いる形態について説明したが、保持部はゼラチン１５に限られるものではなく、カプセル１０が飲み込まれる前の状態において、アンテナ部１３を巻回状態に保持できるとともに、飲み込まれた後は、管腔内で溶融、分解、又は脱落することにより、アンテナ部１３を巻回状態から解放できるような部材であればよい。
【００４４】
［実施の形態２］
図４は、実施の形態２の医療装置用のカプセルを示す図であり、（ａ）は斜視図、（ｂ）はアンテナが伸びた状態を示す図である。実施の形態２の医療装置用のカプセル２０は、アンテナ部１３の先端にアンカーを備える点が実施の形態１と相違する。その他の構成要素は実施の形態１に準ずるため、同一の構成要素には同一の符号を用い、その説明を省略する。
【００４５】
実施の形態２のカプセル２０は、アンテナ部１３の先端にアンカー１３Ａを備える。このアンカー１３Ａは、人又は動物の体内で通信状態をより良好にするために、アンテナ部１３を伸ばすために配設されている。
【００４６】
アンカー１３Ａは、樹脂製の折り畳み可能なおもりであり、折り畳んだ状態で長さ３ｍｍ、幅６ｍｍ、高さ６ｍｍ程度であり、アンテナ部１３の展開とともに、カプセル２０から離脱する。
【００４７】
図４（ａ）のように、実施の形態１のカプセル１０と比べて、飲み込む前におけるアンカー１３Ａはカプセル２０の一端に突出するが、その大きさは長さ１０ｍｍ、幅６程度であるため、飲み込み易さは実施の形態１のカプセル１０と殆ど変わらない。
【００４８】
図４（ｂ）に示すように、アンカー１３Ａは、腸内で展開し、カプセル２０が進行する際に抵抗となるため、アンテナ部１３が引き伸ばされやすくなる。
【００４９】
このため、実施の形態２の医療装置用のカプセル２０によれば、アンカー１３Ａによって人や動物の管腔内でアンテナ部１３が伸びるため、カプセル１０の内部に配設される撮像装置等のノイズの影響を受けにくく、良好な通信状態を得ることができる。
【００５０】
なお、アンカー１３Ａを取り付ける部位は、アンテナ部１３の先端に限られず、アンテナ部１３の長手方向の任意の中間部位であってもよい。
【００５１】
また、アンカー１３Ａの材質は樹脂製に限らず、体内で溶解可能なゼラチンで形成されていてもよい。この場合、飲み込まれる前にアンテナ部１３を保持するゼラチン１５とは異なり、体外に放出する直前まで溶解しきらずに残存するように成分や量等が設定されることが望ましい。
【００５２】
［実施の形態３］
図５は、実施の形態３の医療装置用のカプセル３０を示す図であり、（ａ）はアンテナ３３をカプセル３０に取り付けた状態を示す斜視図、（ｂ）は取り付ける前の状態におけるアンテナ３３を示す図である。
【００５３】
図５（ａ）に示すように、カプセル３０は、一対のカプセル片３１及び３２を密封したものである。カプセル片３２の形状は実施の形態１のカプセル片１２と同一であるが、カプセル片３１は、実施の形態１のカプセル片１１と異なり、凹部１１Ａは形成されていない。なお、カプセルの大きさは、長さ２０ｍｍ、直径６ｍｍである。
【００５４】
また、アンテナ部３３及びグランド部３６は、それぞれ、カプセル３０のカプセル片３２及び３１に貼り付けられており、その上から樹脂がコーティングされている点が実施の形態１とは異なる。アンテナ部３３及びグランド部３６の上にコーティングする樹脂としては、例えば、ポリイミドを用いることができる。
【００５５】
図５（ｂ）に示すように、アンテナ部３３は平面視ホームベース型の銅箔製であり、グランド部３６は平面視長方形の銅箔製である。
【００５６】
アンテナ部３３は、例えば、図中における長さＡ＝１８ｍｍ、幅Ｂ＝８ｍｍ、中心線ｃに対する角度θは６３度であり、ホームベース形状の頂点にある給電部３３Ａにおいて給電されるように構成される。
【００５７】
グランド部３６は、例えば、長さＣ＝１８ｍｍ（アンテナ部３３と同一）、幅Ｄ＝８ｍｍである。
【００５８】
アンテナ部３３及びグランド部３６は、ＵＷＢ通信が可能な形状であり、３．１ＢＨｚ〜１０．６ＧＨｚの間でＶＳＷＲ（Voltage Standing Wave Ratio）が２．０以下という優れた通信能力を有するアンテナである。
【００５９】
このようなアンテナ部３３及びグランド部３６は、それぞれ、図５（ａ）に示すようにアンテナ片３２及び３１の表面に貼り付けられており、実施の形態１のカプセルと同様に、送信機を介して、内部に配設される撮像装置で得られる画像データを体外装置に高速送信を行うことができるように構成されている。
【００６０】
また、アンテナ部３３は、実施の形態１のカプセル１０と同様に、孔部（１１ｂ）を通じて内部の送信機（１４）に接続されており、給電部３３Ａへの給電は送信機（１４）によって行われる。
【００６１】
なお、実施の形態３では、実施の形態１における送信機１４に相当する送信機は、ＵＷＢ（Ultra Wide Band）通信を行えるように構成される。
【００６２】
このように、実施の形態３の医療装置用のカプセル３０によれば、人や動物の管腔内と体外装置の間でＵＷＢ通信を行うことができるため、高速通信を行うことができる。
【００６３】
また、ＵＷＢ通信を用いるため、複数の体外装置との間で距離を測定すれば、管腔内におけるカプセル３０の位置を検出することができる。
【００６４】
また、アンテナ部３３だけでなく、グランド部３６もカプセル３０の外表面に配設されているため、カプセル３０の内部にある撮像装置等から生じるノイズを受けにくく、良好な通信状態を得ることができる。
【００６５】
なお、カプセル３０、アンテナ部３３、及びグランド部３６の寸法は上述の説明における値に限定されず、カプセルの大きさは、長さ５〜２０ｍｍ、直径５〜１０ｍｍの範囲であればよい。
【００６６】
同様に、アンテナ部３３については、長さＡ＝１５〜３０ｍｍ、幅Ｂ＝２〜８ｍｍ、中心線ｃに対する角度θは４５〜７０度であればよく、グランド部３６については、長さＣ＝１５〜３０ｍｍ、幅Ｄ＝２〜８ｍｍであればよい。
【００６７】
［実施の形態４］
図６は、実施の形態４の医療装置用のカプセル４０を示す図であり、（ａ）はアンテナ４３をカプセル４０に取り付けた状態を示す斜視図、（ｂ）は取り付ける前の状態におけるアンテナ４３を示す図である。
【００６８】
図６（ａ）に示すように、カプセル４０は、一対のカプセル片４１及び４２を密封したものである。実施の形態４におけるカプセル片４１及び４２は、実施の形態１乃至３におけるカプセル片とは分割方向が異なり、カプセル４０の長手方向にわたる外周に沿って分割されるように構成されている。また、凹部は形成されていない。なお、カプセルの大きさは、長さ１０ｍｍ、直径６ｍｍである。
【００６９】
また、アンテナ部４３及びグランド部４６は、それぞれ、カプセル４０のカプセル片４１及び４２に貼り付けられており、その上から樹脂がコーティングされている。この点は実施の形態３に準じており、アンテナ部４３及びグランド部４６の上にコーティングする樹脂としては、例えば、ポリイミドを用いることができる。
【００７０】
図６（ｂ）に示すように、アンテナ部４３は平面視Ｔ字型の銅箔製であり、グランド部４６は平面視長方形の銅箔製である。
【００７１】
アンテナ部４３は、例えば、図中における長さＥ＝８ｍｍ、幅Ｆ＝３ｍｍ、幅Ｇ＝１ｍｍであり、Ｔ字型の根本の部分にある給電部４３Ａにおいて給電されるように構成される。
【００７２】
グランド部４６は、例えば、長さＨ＝８ｍｍ（アンテナ部４３と同一）、幅Ｉ＝１０ｍｍである。
【００７３】
アンテナ部４３及びグランド部４６は、ＵＷＢ（Ultra Wide Band）通信が可能な形状であり、３ＧＨｚ〜１０ＧＨｚ又は６ＧＨｚ〜２０ＧＨｚの間でＶＳＷＲ（Voltage Standing Wave Ratio）が２．０以下という優れた通信能力を有するアンテナである。
【００７４】
このようなアンテナ部４３及びグランド部４６は、それぞれ、図６（ａ）に示すようにアンテナ片４２及び４１の表面に貼り付けられており、実施の形態１のカプセルと同様に、送信機を介して、内部に配設される撮像装置で得られる画像データを体外装置に高速送信を行うことができるように構成されている。
【００７５】
また、アンテナ部４３は、実施の形態１のカプセル１０と同様に、孔部（１１ｂ）を通じて内部の送信機（１４）に接続されており、給電部４３Ａへの給電は送信機（１４）によって行われる。
【００７６】
なお、実施の形態４では、実施の形態１における送信機１４に相当する送信機は、ＵＷＢ（Ultra Wide Band）通信を行えるように構成される。
【００７７】
このように、実施の形態４の医療装置用のカプセル４０によれば、人や動物の管腔内と体外装置の間でＵＷＢ通信を行うことができるため、高速通信を行うことができる。
【００７８】
また、アンテナ部４３だけでなく、グランド部４６もカプセル４０の外表面に配設されているため、カプセル４０の内部にある撮像装置等から生じるノイズを受けにくく、良好な通信状態を得ることができる。
【００７９】
なお、カプセル４０、アンテナ部４３、及びグランド部４６の寸法は上述の説明における値に限定されず、カプセルの大きさは、長さ５〜２０ｍｍ、直径５〜１０ｍｍの範囲であればよい。
【００８０】
同様に、アンテナ部４３については、長さＥ＝４〜８ｍｍ、幅Ｆ＝１〜４ｍｍ、幅Ｇ＝０．５ｍｍであればよく、グランド部４６については、長さＨ＝４〜８ｍｍ、幅Ｉ＝４〜１０ｍｍであればよい。
【００８１】
［実施の形態５］
図７は、実施の形態５の医療装置用のカプセル５０を示す図であり、（ａ）はアンテナ３３をカプセル３０に取り付けた状態を示す斜視図、（ｂ）はアンテナ部が伸びた状態を示す図である。
【００８２】
実施の形態５の医療用のカプセル５０は、カプセル片５１及び５２を含み、アンテナ部５３の先端にアンカー５３Ａと、アンカー５３Ａに密着したアンテナ部５３Ｂとを備える。このように、医療用のカプセル５０は、アンテナ部５３の先端のアンカー５３Ａと、アンテナ部５３の先端部５３Ｂが解かれずにアンカー５３Ａに密着している点が実施の形態２と相違する。すなわち、線状のアンテナ部５３の一部は、巻回された状態でアンカー５３Ａに密着されている。
【００８３】
このように、アンテナ部５３の先端部５３Ｂがアンカー５３Ａに密着しているので、図７（ｂ）のように、アンテナ部５３が引き延ばされ易くなる。
【００８４】
また、アンテナの先端部５３Ｂが解かれずに巻回されたままの状態のなるため、アンテナ全体の長さを短縮することができる。例えば、無線通信周波数が４００ＭＨｚの場合は、アンテナ部５３の線の長さは約１９０ｍｍであるが、実施の形態５の医療用のカプセル５０のように密着した先端部５３Ｂを設けることで、アンテナ５３の全長を例えば、６０ｍｍ、又は９０ｍｍと１／３又は１／２に抑えることができる。
【００８５】
［実施の形態６］
図８は、実施の形態６の医療装置用のカプセルを示す図であり、（ａ）は側面を表す部分断面図、（ｂ）は背面側の断面を表す図、（ｃ）はアンテナが伸びた状態を示す図である。実施の形態６の医療装置用のカプセル６０は、アンテナ部６３の構造が実施の形態１と相違する。
【００８６】
図８（ａ）、（ｂ）に示すように、実施の形態６の医療装置用のカプセル６０のアンテナ部６３は、螺旋状に巻回されたヘリカル部６３Ａを９つ有する。アンテナ部６３は、９つのヘリカル部６３Ａを含めて全体で１本の銅線で構成されている。
【００８７】
アンテナ部６３は、図８（ａ）、（ｂ）に示すように、ヘリカル部６３Ａとそれ以外の直線状の部分とを畳んだ状態でカプセル６０の後端側の収納室６０Ａに収納され、実施の形態１の医療装置用のカプセル１０と同様に、ゲル化したゼラチン６５によって固定されている。
【００８８】
医療装置用のカプセル６０が体内に入ると、ゼラチンが溶融して、図８（ｃ）に示すように、アンテナ部６３が延伸されるが、ヘリカル部６３Ａは螺旋状に巻回され状態を保持する。
【００８９】
このように、アンテナ部６３は、延伸された状態においても、ヘリカル部６３Ａの分だけ全長を短くできるので、アンテナ部６３の広がりを抑えることができる。実施の形態６の医療装置用のカプセル６０は、アンテナ部６３の長さが長い場合やアンテナ部６３の長さを短くしたい場合に特に有効である。
【００９０】
また、ヘリカル部６３Ａには、電磁誘導が生じるため、この電磁誘導によって生じる磁界を体外のアンテナ又はレーダで検出することにより、管腔内におけるカプセル６０の位置を検出してもよい。
【００９１】
［実施の形態７］
図９は、実施の形態７の医療装置用のカプセルを示す図であり、（ａ）は側面図、（ｂ）は背面図、（ｃ）はアンテナが伸びた状態を示す図である。実施の形態６の医療装置用のカプセル７０は、アンテナ部７３の構造が実施の形態１と相違する。
【００９２】
図９（ａ）、（ｂ）に示すように、実施の形態７の医療装置用のカプセル７０のアンテナ部７３は、３つのアンテナ部７３Ａ、７３Ｂ、及び７３Ｃを有する。アンテナ部７３Ａ、７３Ｂ、及び７３Ｃは、それぞれ帯域特性の異なるアンテナ部である。
【００９３】
アンテナ部７３Ａは、２．４ＧＨｚ帯アンテナであり、アンテナ部７３Ｂは、８００ＭＨｚ帯アンテナであり、アンテナ部７３Ｃは、４００ＭＨｚ帯アンテナである。これらは、いずれも帯域波の約１／４波長の長さに設定されており、２．４ＭＨｚの電波の波長が約１２５ｍｍであるので、アンテナ部７３Ａは３１．２ｍｍに設定される。
【００９４】
同様に、８００ＭＨｚの電波の波長が約３７０ｍｍであるので、アンテナ部７３Ｂは９０ｍｍに設定される。また、４００ＭＨｚの電波の波長が約７５０ｍｍであるので、アンテナ部７３Ｃは１９０ｍｍに設定される。
【００９５】
３つのアンテナ部７３Ａ、７３Ｂ、及び７３Ｃは、図９（ｂ）に示すように、平面視渦状に巻回された状態で、医療装置用のカプセル７０の後端側の収納部７０Ａに収納され、ゲル化したゼラチン７５によって固定されている。
【００９６】
医療装置用のカプセル７０が体内に入ると、ゼラチンが溶融して、図９（ｃ）に示すように、アンテナ部７３Ａ、７３Ｂ、及び７３Ｃが延伸される。
【００９７】
このように、医療装置用のカプセル７０によれば、３つの周波数帯を利用できるので、様々なデータを効率よく体外装置に伝送できる。このため、実施の形態７の医療装置用のカプセル７０は、データの種類や数が多い場合に特に有効である。
【００９８】
以上、本発明の例示的な実施の形態の医療装置用のカプセルについて説明したが、本発明は、具体的に開示された実施の形態に限定されるものではなく、特許請求の範囲から逸脱することなく、種々の変形や変更が可能である。
【図面の簡単な説明】
【００９９】
【図１】実施の形態１の医療用のカプセルを示す斜視図である。
【図２】実施の形態１の医療装置用のカプセルの断面構造を示す図である。
【図３】実施の形態１の医療装置用のカプセル１０のアンテナ部１３が体内で伸びる様子を示す図であり、（ａ）〜（ｃ）の順に時系列的に示す。
【図４】実施の形態２の医療装置用のカプセルを示す図であり、（ａ）は斜視図、（ｂ）はアンテナが伸びた状態を示す図である。
【図５】実施の形態３の医療装置用のカプセル３０を示す図であり、（ａ）はアンテナ３３をカプセル３０に取り付けた状態を示す斜視図、（ｂ）は取り付ける前の状態におけるアンテナ３３を示す図である。
【図６】実施の形態４の変形例の医療装置用のカプセル４０を示す図であり、（ａ）はアンテナ４３をカプセル４０に取り付けた状態を示す斜視図、（ｂ）は取り付ける前の状態におけるアンテナ３３を示す図である。
【図７】実施の形態５の医療装置用のカプセル５０を示す図であり、（ａ）はアンテナ５３をカプセル５０に取り付けた状態を示す斜視図、（ｂ）はアンテナ部が伸びた状態を示す図である。
【図８】実施の形態６の医療装置用のカプセルを示す図であり、（ａ）は側面を表す部分断面図、（ｂ）は背面側の断面を表す図、（ｃ）はアンテナが伸びた状態を示す図である。
【図９】実施の形態７の医療装置用のカプセルを示す図であり、（ａ）は側面図、（ｂ）は背面図、（ｃ）はアンテナが伸びた状態を示す図である。
【符号の説明】
【０１００】
１０、２０、３０、４０、５０、６０、７０  カプセル
１１、１２、３１、３２、４１、４２、５１、５２  カプセル片
１１ａ  端部
１１Ａ  凹部
１１ｂ  孔部
１３、３３、４３、５３、６３、７３、７３Ａ、７３Ｂ、７３Ｃ  アンテナ部
１３Ａ、５３Ａ  アンカー
１４  送信機
１５  ゼラチン
１６、３６、４６  グランド部
５３Ｂ  先端部
６３Ａ  ヘリカル部
【図１】
2009240756.tif 000003
【図２】
2009240756.tif 000004
【図３】
2009240756.tif 000005
【図４】
2009240756.tif 000006
【図５】
2009240756.tif 000007
【図６】
2009240756.tif 000008
【図７】
2009240756.tif 000009
【図８】
2009240756.tif 000010
【図９】
2009240756.tif 000011